(57)【要約】      （修正有）【課題】少ない部品点数により、ボードを支柱に容易に取り付け可能として遮蔽率を簡単に調整することができ、またボードにガタツキが生じ難く長期の使用に耐え得る固定用スペーサ及びこれを用いた防風柵を提供する。【解決手段】横長矩形状のボード１をＨ鋼からなる支柱２の溝２ｃ内に固定するための固定用スペーサであって、少なくとも、内側面１４と内側面１４の中央高さ位置に水平に設けられた支持部１８と、内側面１４と上面１６との間及び内側面１４と下面１７との間に夫々設けられた斜面１９とを有して左右対称形状に形成された一対の固定部材１１により構成され、一対の固定部材１１の内側面１４同士を対向させて支持部１８同士が接触する閉じ状態において、一対の固定部材１１の両内側面１４と両支持部１８とを含んで形成される空間に、ボード１の隅部である被固定部１ａを保持固定化する保持用陥没部が形成される構成とする。【選択図】図６
2016205021.tif 000002
【特許請求の範囲】
【請求項１】
横長矩形状のボード（１）をＨ鋼からなる支柱（２）の溝（２ｃ）内に固定するための固定用スペーサであって、
少なくとも、内側面（１４）と該内側面（１４）の中央高さ位置に水平に設けられた支持部（１８）と、前記内側面（１４）と上面（１６）との間及び前記内側面（１４）と下面（１７）との間に夫々設けられた斜面（１９）とを有して左右対称形状に形成された一対の固定部材（１１）により構成され、
前記一対の固定部材（１１）の内側面（１４）同士を対向させて前記支持部（１８）同士が接触する閉じ状態において、前記一対の固定部材（１１）の両内側面（１４）と両支持部（１８）とを含んで形成される空間に、前記ボード（１）の隅部である被固定部（１ａ）を保持固定する保持用陥没部（２０）が形成されることを特徴とする固定用スペーサ。
【請求項２】
一対の固定部材（１１）に背面（１３）を設けた請求項１記載の固定用スペーサ。
【請求項３】
内側面（１４）及び斜面（１９）を一つの傾斜面（１９ａ）で形成し、該傾斜面（１９ａ）とボード（１）との間にクサビ型ライナー（２１）を挿入可能とした請求項１又は２記載の固定用スペーサ。
【請求項４】
支柱（２）のフランジ（２ａ）の内面と固定部材（１１）の外側面（１５）との間に、薄板状のライナー（２３）を介在させる請求項１又は２に記載の固定用スペーサ。
【請求項５】
接着剤を用いてライナー（２１，２３）を接着固定するようにした請求項３又は４記載の固定用スペーサ。
【請求項６】
請求項１乃至５のいずれか一項に記載の固定用スペーサを用いた防風柵であって、
所定の間隔を有して立設された複数の支柱（２）と、隣接する支柱（２）間に段積みされる横長矩形状からなる複数のボード（１）とを有して構成され、
一対の固定部材（１１）からなる固定用スペーサ（１０）が前記支柱（２）の溝（２ｃ）内に夫々配置されており、
前記支柱（２）間の溝（２ｃ）内に挿入して落とし込んだボード（１）の隅部である被固定部（１ａ）が、前記一対の固定部材（１１）に設けられた保持用陥没部（２０）で固定されると共に、前記一対の固定部材（１１）が互いに離間し水平方向に押し開かれることにより、前記一対の固定部材（１１）の外側面（１５）が支柱（２）のフランジ（２ａ）の内面を夫々押圧することで前記支柱（２）に保持・固定されていることを特徴とする防風柵。
【発明の詳細な説明】
【技術分野】
【０００１】
本発明は、支柱にボードを取り付けるための固定用スペーサ及びこれを用いた防風柵に関する。
【背景技術】
【０００２】
従来より、横長矩形状のボードとＨ鋼との組み合わせは、複数のＨ鋼を所定の間隔で立設してなる支柱間に、複数のボードを設置することにより防風柵や防雪柵等として利用されてきた。このようなボードをＨ鋼に組み付ける手段としては溶接が使用されることが多いが、溶接以外の手段として、例えば以下の特許文献１に開示された先行技術が存在する。
【０００３】
特許文献１に記載の先行技術は防塵柵に関するものであり、上下の平坦部１ａと中間部の突出平坦部１ｂとをつないだ傾斜面部１ｃとで山形状に形成された左右方向に長い金属板で、そのほぼ全面に複数の丸孔２と長孔３が上下・左右方向に規則的な行列で配置され、開口率２０％〜４０％に設けられた構成の孔あき金属板１が、下端を基礎に固定して建てられたＨ鋼からなる支柱５の間へ水平方向に架け渡され、その両端部が支柱５にボルト１０及びナット１１で強固に締結して取り付け固定する、と云うものである（特許文献１の段落［００３１］及び図８参照）。特許文献１では、孔あき金属板１を使用することにより、防塵柵が所定の遮蔽率を確保することができるようになっている。
【先行技術文献】
【特許文献】
【０００４】
【特許文献１】特開２００９−１３３１１３号公報
【発明の概要】
【発明が解決しようとする課題】
【０００５】
遮蔽率（「充実率」ともいう。）は、防風柵の高さ、遮蔽させたい構造物の大きさ、距離、方向あるいは柵柱の間隔等の様々な要因に依存するため、遮蔽率を正確に設定することは困難である。したがって、防風柵を設置しながら調節し、あるいは設置した後に防風柵を調節することにより、遮蔽率を自由に変更することができるようにした構成が望ましい。
【０００６】
しかし、ボードとＨ鋼との組み合わせによる防風柵の場合、上下のボード間に設けられる隙間の寸法を調整することにより、防風柵全体として任意の遮蔽率に設定する必要があるところ、溶接による手段では遮蔽率を細かく調整することが難しいという問題がある。
【０００７】
他方、上記特許文献１に記載の先行技術は、ボルトと及びナットを用いるため、溶接手段に比較して遮蔽率を細かく調整することが可能である。
しかしながら、いずれにおいても長期間使用している間にボルトが緩むとボードにガタツキが発生すると云う問題がある。このようなガタツキは遮蔽率に変化を生じさせ、最悪の場合にはボードがＨ鋼から外れてしまう虞がある。
【０００８】
またボルトやナットが不要となれば、部品点数が削減され、製造コストを低減できることになる。
【０００９】
本発明は、上記した従来技術における問題点を解消すべく、少ない部品点数により、ボードをＨ鋼に容易に取り付け可能として遮蔽率を簡単に調整することができ、またボードにガタツキが生じ難く長期の使用に耐え得る固定用スペーサ及びこれを用いた防風柵を創出することを課題とする。
【課題を解決するための手段】
【００１０】
上記課題を解決するための手段のうち、第１発明の主たる手段は、
横長矩形状のボードをＨ鋼からなる支柱の溝内に固定するための固定用スペーサであって、
少なくとも、内側面と内側面の中央高さ位置に水平に設けられた支持部と、内側面と上面との間及び内側面と下面との間に夫々設けられた斜面とを有して左右対称形状に形成された一対の固定部材により構成され、
一対の固定部材の内側面同士を対向させて支持部同士が接触する閉じ状態において、一対の固定部材の両内側面と両支持部とを含んで形成される空間に、ボードの隅部である被固定部を保持固定する保持用陥没部が形成されることを特徴とする、と云うものである。
【００１１】
第１発明の主たる手段では、一対の固定部材という少ない部品点数により、ボードの保持と、ボードを保持した固定用スペーサの支柱への保持・固定化を同時に行うことを達成し得る。
【００１２】
また第１発明の他の手段は、上記主たる手段に、一対の固定部材に背面を設けた、との構成を加えたものである。
【００１３】
上記構成では、固定部材が支柱から脱落することを防止し得る。
【００１４】
また第１発明の他の手段は、上記いずれかの手段に、内側面及び斜面を一つの傾斜面で形成し、傾斜面とボードとの間にクサビ型ライナーを挿入可能とした、との構成を加えたものである。
【００１５】
あるいは、上記いずれかの手段に、支柱のフランジの内面と固定部材の外側面との間に、薄板状のライナーを介在させる、との構成を加えたものである。
【００１６】
上記構成では、固定部材とフランジとの間の隙間を埋め、固定部材の外側面でフランジの内面を強固に押圧することで、ボードをより安定的に保持・固定化することが可能となる。
【００１７】
また第１発明の他の手段は、上記手段に、接着剤を用いてライナーを接着固定する、との構成を加えたものである。
【００１８】
上記構成では、クサビ型ライナー又はライナーの脱落を防止し、ひいてはボードの安定的な保持・固定化を達成し得る。
【００１９】
また第２発明の主たる手段は、上記いずれか一項に記載の固定用スペーサを用いた防風柵であって、
所定の間隔を有して立設された複数の支柱と、隣接する支柱間に段積みされる横長矩形状からなる複数のボードとを有して構成され、
一対の固定部材からなる固定用スペーサが支柱の溝内に夫々配置されており、
支柱間の溝内に挿入して落とし込んだボードの隅部である被固定部が、一対の固定部材に設けられた保持用陥没部で固定されると共に、一対の固定部材が互いに離間し水平方向に押し開かれることにより、一対の固定部材の外側面が支柱のフランジの内面を夫々押圧することで支柱に保持・固定されていることを特徴とする、と云うものである。
【００２０】
上記構成では、溶接やボルトを使用することなく、簡単且つ確実にボードを支柱に保持・固定化することができる。また高さ寸法や支持部の板厚寸法の異なる固定部材を使用することにより、上下のボード間に形成される隙間の大きさを容易に調整することができるため、防風柵の遮蔽率を所望の範囲に容易に設定することが可能となる。
【発明の効果】
【００２１】
本発明は、上記した構成となっているので、以下に示す効果を奏する。
固定用スペーサは非金属製であり腐食に強く長期使用に耐えうる。
一対の固定部材という少ない部品点数で構成できるため、製造コストを低減できる。
また溶接やボルトのネジ締めといった作業が不要となるため、ボードを支柱の溝内に容易に取り付けることが可能となり、従来に比較し遮蔽率の調整も簡単に行うことができるようになる。
さらにボードのガタツキを低減することが可能となるため、ボードを支柱に対して安定的に保持・固定化することができる。
【図面の簡単な説明】
【００２２】
【図１】本発明の第１実施例として、一対の固定部材から成る固定用スペーサを示し、Ａは正面側からの斜視図、Ｂは背面側からの斜視図である。
【図２】一対の固定部材が左右に開いた後の状態を示し、Ａは正面側からの斜視図、Ｂは背面側からの斜視図である。
【図３】一方の固定部材を示し、Ａは平面図、Ｂは正面図、Ｃは右側面図、Ｄは左側面図である。
【図４】固定用スペーサを用いて組み立てられる防風柵を示す斜視図である。
【図５】Ａは固定用スペーサを支柱内の最下部に配置した状態を示す正面図、Ｂは最下部の固定用スペーサのボードをセットした状態を示す正面図である。
【図６】図４のａ部の詳細を開き状態として示したものであり、Ａは正面図、Ｂは側面図、Ｃは平面図である。
【図７】本発明の第２実施例としての固定用スペーサを用いて構築される防風柵の要部を示す図６Ａ同様の正面図である。
【図８】本発明の第３実施例としての固定用スペーサを用いて構築される防風柵の要部を示す図６Ａ同様の正面図である。
【発明を実施するための形態】
【００２３】
以下、本発明の実施の形態について図面を参照しつつ説明する。
最初に固定用スペーサについて説明する。
図１は本発明の第１実施例として、一対の固定部材から成る固定用スペーサを示し、Ａは正面側からの斜視図、Ｂは背面側からの斜視図、図２は一対の固定部材が左右に開いた後の状態を示し、Ａは正面側からの斜視図、Ｂは背面側からの斜視図、図３は一方の固定部材を示し、Ａは平面図、Ｂは正面図、Ｃは右側面図、Ｄは左側面図である。
【００２４】
図１乃至図３に第１実施例として示す固定用スペーサ１０は、Ｈ鋼からなる支柱２の溝２ｃ内にボード１を容易に保持・固定する部材である。固定用スペーサ１０は、左右対称形状を成す一対の固定部材１１により構成され、一対の固定部材１１は、非金属製で量産性及び耐久性に優れる素材、例えば、ポリエチレンなどの合成樹脂、あるいは天然又は合成ゴムなどで形成されている。
【００２５】
固定部材１１の内側面１４の高さ方向の中央の位置には、長方形から成る支持部１８が水平に形成されている。支持部１８よりも上部側の内側面１４と上面１６との境界部分には斜面１９が形成され、同様に支持部１８よりも下部側の内側面１４と下面１７との境界部分には斜面１９が形成されている。つまり第１実施例に示す固定部材１１は、支持部１８を挟んで上下対称形状でもある。
【００２６】
図１に示すように、一対の固定部材１１の内側面１４同士を対向させて支持部１８同士及び背面１３同士を接触させると、両支持部１８の上下の位置で、且つ両背面１３、両斜面１９を含む両内側面１４及び両支持部１８によって４方向から囲まれる空間に凹状の保持用陥没部２０が夫々形成される。なお、残り２方向、すなわち上側の保持用陥没部２０では上面１６側及び正面１２側が開放され、下側の保持用陥没部２０では下面１７側及び正面１２側が開放されている。
以下の説明においては、図１Ａ，Ｂに示す固定用スペーサ１０の状態、すなわち一対の固定部材１１の内側面１４同士を対向させて支持部１８同士、さらには背面１３同士を接触させた状態を「閉じ状態」という。
【００２７】
そして、図２Ａ，Ｂに示すように、図１Ａ，Ｂに示す閉じ状態から一対の固定部材１１が互いに離間する方向に押し開くことにより、保持用陥没部２０の幅寸法Ｗ１、すなわち両内側面１４間の対向距離を広げることが可能となっている。なお、保持用陥没部２０の幅寸法Ｗ１は、後述するボード１の厚み寸法Ｗｂ（図６Ｃ参照）よりも若干狭い寸法で形成されている。また図１Ａに示す固定用スペーサ１０の全幅寸法Ｗｓ（閉じ状態とした固定用スペーサ１０において外側面１５同士間の寸法）は、後述する支柱２（Ｈ鋼）の一対のフランジ２ａ，２ａ間の対向寸法Ｗｈ（図６Ｃ参照）よりも小さい寸法で形成されている。以下の説明においては、図２Ａ，Ｂに示す固定用スペーサ１０を構成する一対の固定部材１１が互いに離れた状態を「開き状態」という。
【００２８】
なお、固定部材１１の高さ寸法Ｈ及び支持部１８の板厚寸法ｈ（図３Ｂ参照）は、上段側のボード１と下段側のボード１との間に形成される間隙Ｓ（図４参照）の大きさに応じて、様々なタイプの固定部材１１を用意することができる。そして、様々なタイプの固定部材１１を使用することにより、防風柵の遮蔽率を所望の範囲に容易に設定することが可能となっている。
【００２９】
次に、固定用スペーサを用いた防風柵について説明する。
図４は固定用スペーサを用いて組み立てられる防風柵を示す斜視図、図５Ａは固定用スペーサを支柱内の最下部に配置した状態を示す正面図、図５Ｂは最下部の固定用スペーサのボードをセットした状態を示す正面図である。また図６は図４のａ部の詳細を開き状態として示したものであり、Ａは正面図、Ｂは側面図、Ｃは平面図である。なお、図５Ｂ及び図６Ｂの側面図では支柱２を省略している。
【００３０】
防風柵は、例えば沿岸部の鉄道沿線、高速道路のトンネル出口付近、雪国における風雪を防止するために設置されるものであり、図４に示すようにボード１とそれを支える支柱２及び上述の固定用スペーサ１０とにより構成される。
ボード１は、潮風害に対する耐腐食性及び量産性に優れる材質が好ましく、例えば横長矩形状からなるブレキャスト製コンクリート板、木製合成板、鋼製折板、ステンレス板等の金属板で形成されている。このボード１の上縁部１Ａ及び下縁部１Ｂの両端の隅部には、上方又は下方に凸状に突出する被固定部１ａが形成されている。
【００３１】
図４に示すように、支柱２は中央のウェブ２ｂの両端に一対のフランジ２ａ，２ａが平行に対向配置されたＨ鋼で形成されている。そして、ウェブ２ｂの両側の位置には長手方向に沿う溝２ｃ，２ｃが夫々形成されている。支柱２の下端は、例えば円柱形状からなるコンクリート製の台座９の中央に形成された垂設穴（図示せず）に埋設され且つ周囲にコンクリートを流し込んで固めることによって立設されている。このような支柱２は、隣接する支柱２間の距離をボード１の長さ寸法に適合させた状態で多数並設されている。
【００３２】
次に、防風柵の組立て方法について説明する。
まず図５Ａに示すように、第１段目となる固定用スペーサ１０、すなわち一対の固定部材１１を閉じ状態に設定し、隣接する一対の支柱２の各溝２ｃ内の最下部に設置する。
次に、図５Ａに示すように、第１段目となるボード１を一対の支柱２の各溝２ｃ内に夫々挿入し、第１段目の固定用スペーサ１０の上に落とし込む。この際、ボード１両端の被固定部１ａが、支持部１８よりも上部側の保持用陥没部２０内に夫々挿入され、第１段目の固定用スペーサ１０は一対の固定部材１１が左右に開いた開き状態となる（図５Ｂ参照）。
【００３３】
次に、各支柱２の溝２ｃ内に、上記同様第２段目となる固定用スペーサ１０を夫々挿入し、第１段目のボード１の上縁部１Ａ両端に設けられている被固定部１ａの上に夫々セットする。この時には、図５Ｂに示すように、第２段目の固定用スペーサ１０は、支持部１８よりも下部側に設けられた斜面１９，１９が、第１段目のボード１の被固定部１ａのエッジ１ｂ，１ｂに接触する。さらに、第２段目の固定用スペーサ１０は自重による落とし込みにより、両斜面１９が両エッジ１ｂ上を摺動しながら下方に向かって移動する。これにより、第２段目の固定用スペーサ１０を構成する一対の固定部材１１は、互いに離れる方向に水平に移動して保持用陥没部２０の幅寸法Ｗ１（図１Ａ参照）が拡張する開き状態に至り、図６Ａ、Ｂ、Ｃ（特に図６Ａ）に示すように第１段目のボード１の上縁部１Ａ側の被固定部１ａが第２段目の固定用スペーサ１０の下部側の保持用陥没部２０内に入り込む。同時に、第２段目の固定用スペーサ１０を構成する一対の固定部材１１の両外側面１５が、フランジ２ａ，２ａの内面を夫々押圧する。これにより、第２段目の固定用スペーサ１０がボード１の支柱２内に固定される。
【００３４】
そして、以下同様に、ボード１と固定用スペーサ１０とを交互に取り付ける作業を何度か繰り返し、ボード１と固定用スペーサ１０とを交互に段積みすることにより防風柵が組み上げられる。
【００３５】
この防風柵では、段積みされた上下のボード１間に所望の寸歩からなる間隙Ｓを形成することが可能となっている。この間隙Ｓは、高さ寸法Ｈ及び支持部１８の板厚寸法ｈ（図３Ｂ参照）が異なるタイプの固定部材１１を使用することにより、任意に調整することが可能であり、従来のように溶接手段やボルトを使用してボードを固定する場合に比較して防風柵の遮蔽率を容易に調整することができる。
【００３６】
ここで、防風柵の遮蔽率は、遮蔽柵の全体の面積（すべてのボード１とすべての間隙Ｓとを合算した面積）に対する間隙Ｓが占める面積であるので、間隙Ｓが占める面積に大きく依存する。そして、遮蔽率を大きくしたい場合には間隙Ｓが占める面積を小さくする代わりに、ボード１の枚数を増やしてボード１が占める面積を大きくすることが有効である。これとは逆に遮蔽率を小さくしたい場合には間隙Ｓが占める面積を大きくする代わりに、ボード１の枚数を減らし、ボード１が占める面積を小さくすることが有効である。
【００３７】
したがって、板厚寸法ｈの小さな固定用スペーサ１０を選定すれば間隙Ｓが占める面積が小さくなるため、防風柵の遮蔽率を高めることができる。また板厚寸法ｈの大きな固定用スペーサ１０を選定すれば間隙Ｓの面積が大きくなるため、防風柵の遮蔽率を下げることが可能となる。
【００３８】
このように、本発明では使用する固定用スペーサ１０の板厚寸法ｈを変更し、間隙Ｓが占める面積を調整することにより、防風柵の設置をしながら遮蔽率を自由に調節することが可能となっている。例えば同一設置場所においても、環境の変化により遮蔽率を変更したい場合、ボード１自体の規格、寸法の変更は要せず、固定用スペーサ１０の板厚寸法ｈを変更するだけで、必要な遮蔽率を簡単且つ低コストで施工することができる。
【００３９】
次に、本発明の第２実施例について説明する。
図７は本発明の第２実施例としての固定用スペーサを用いて構築される防風柵の要部を示す図６Ａ同様の正面図である。
第２実施例に示す固定用スペーサが、上記第１実施例において説明した固定用スペーサと主として異なる点は、固定部材１１の内側面１４を傾斜面１９ａのみにすると共に、傾斜面１９ａとボード１の被固定部１ａとの間にクサビ型ライナー２１を挿入した点にある。なお、図７では傾斜面１９ａ及びクサビ型ライナー２１を支持部１８の上部側のみに設けた構成を示すが、同様の構成を支持部１８の下部側に設けることも可能である。
【００４０】
クサビ型ライナー２１は、天然又は合成ゴム、エラストマー等の弾性を有する材料で形成されている。クサビ型ライナー２１の取り付けは、上記のように固定用スペーサ１０の上にボード１を落とし込んで一対の固定部材１１を水平に移動させた後、傾斜面１９ａとボード１の被固定部１ａとの間にクサビ型ライナー２１を挿入し、ハンマー等を用いてこのクサビ型ライナー２１の上端を打ち込むことにより行うことができる。この時、クサビ型ライナー２１には予め接着剤を塗布しておく。
クサビ型ライナー２１の介在により、固定部材１１の外側面１５をフランジ２ａの内面に確実に押圧することが可能となり、支柱２に対しボード１をガタツキなく安定的に保持・固定化することができる。
【００４１】
次に、本発明の第３実施例について説明する。
図８は本発明の第３実施例としての固定用スペーサを用いて構築される防風柵の要部を示す図６Ａ同様の正面図である。
第３実施例に示す固定用スペーサが、上記第１実施例において説明した固定用スペーサと主として異なる点は、固定部材１１の外側面１５をフランジ２ａの内面との間にライナー２３を介在させている点にある。
【００４２】
ライナー２３は合成樹脂材料、天然又は合成ゴムなどで薄板状に形成されており、板状の本体部２３ａとその上端部に断面Ｌ字状からなる操作片２３ｂが一体形成されたものである。ライナー２３の取り付けは、本体部２３ａの表裏面に公知の接着剤を塗布した状態で固定部材１１の外側面１５をフランジ２ａの内面との間に挿入する。あるいは第２実施例同様にハンマー等を用いて操作片２３ｂを打ち込んで狭入してもよい。
これにより、固定部材１１の外側面１５がフランジ２ａの内面を押圧した状態で固定することが可能となり、ボード１を支柱２に安定的に取り付けることができる。
【００４３】
以上、実施例に沿って本発明の構成とその作用効果について説明したが、本発明の実施の形態は上記実施例に限定されるものではない。
上記各実施例では、固定用スペーサを防風柵に使用した例を示して説明したが、本発明の固定用スペーサは上記実施例に限定されるものではなく、その他防護柵、防塵柵、防護壁、防音壁等に使用することも可能である。
【００４４】
また上記各実施例では、固定用スペーサを構成する固定部材１１が背面１３を有する構成を示して説明したが、本発明の固定用スペーサは上記実施例に限定されるものではなく、背面１３を設けるか否かは任意である。なお、背面１３を有する構成とした場合には、背面１３はボード１の長手方向の両側面に当接可能であることから、振動等により固定部材１１が外れて支柱２から脱落することを防止することができる点で有効である。
【産業上の利用可能性】
【００４５】
本発明は、調整を要する柵や壁などの分野における用途展開をさらに広い領域で図ることができる。
【符号の説明】
【００４６】
１    ：  ボード
１Ａ  ：  上縁部
１Ｂ  ：  下縁部
１ａ  ：  被固定部
２    ：  支柱（Ｈ鋼）
２ａ  ：  フランジ
２ｂ  ：  ウェブ
２ｃ  ：  溝
１０  ：  固定用スペーサ
１１  ：  固定部材
１２  ：  正面
１３  ：  背面
１４  ：  内側面
１５  ：  外側面
１６  ：  上面
１７  ：  下面
１８  ：  支持部
１９  ：  斜面
１９ａ：  傾斜面
２０  ：  保持用陥没部
２１  ：  クサビ型ライナー
２３  ：  ライナー
２３ａ：  本体部
２３ｂ：  操作部
【図１】
2016205021.tif 000003
【図２】
2016205021.tif 000004
【図３】
2016205021.tif 000005
【図４】
2016205021.tif 000006
【図５】
2016205021.tif 000007
【図６】
2016205021.tif 000008
【図７】
2016205021.tif 000009
【図８】
2016205021.tif 000010